(57)【要約】【課題】管埋者側の煩わしさや管理者の勘違いによる設定の誤り、あるいは居住者側にとっての不透明感を低減する。【解決手段】設備機器制御システムは、主設定機１と、個別設定機２と、主設定機限定モードが選択されている状態では個別設定機２による設定変更操作を無効とし、非主設定機限定モードが選択されている状態では個別設定機２による設定変更操作を有効にする制御部７と、非主設定機限定モードにおいて最終的に設定された設定を記憶する設定記憶部９と、主設定機限定モードでの最終設定操作からの経過時間Ｔを測定する時間測定部１０と、設定状態決定方法の規定を記憶する規定記憶部１１と、主設定機限定モードから非主設定機限定モードに切り替えられたときに、経過時間Ｔと設定状態決定方法の規定に応じて設備機器４の設定状態を決定する設定操作部１２とを備える。【選択図】  図１
2014074520.tif 000002
【特許請求の範囲】
【請求項１】
主設定操作者が操作可能であり、制御対象空間の居住者が操作不可能なように設置された主設定機と、
制御対象空間の居住者が操作可能なように設置された個別設定機と、
制御対象空間の設備機器の設定変更操作を前記主設定機に限定する主設定機限定モードが選択されている状態では前記個別設定機による設定変更操作を無効とし、前記設備機器の設定変更操作を前記主設定機に限定しない非主設定機限定モードが選択されている状態では前記個別設定機による設定変更操作を有効にし、設定変更操作が有効な前記個別設定機または前記主設定機からの設定に応じて前記設備機器を制御する制御手段と、
非主設定機限定モードにおいて前記個別設定機で最終的に設定された設定を記憶する設定記憶手段と、
主設定機限定モードでの前記主設定機の最終設定操作からの経過時間Ｔを測定する時間測定手段と、
主設定機限定モードから非主設定機限定モードに切り替えられたときに経過時間Ｔに応じて実行すべき設定状態決定方法の規定を予め記憶する規定記憶手段と、
主設定機限定モードから非主設定機限定モードに切り替えられたときに、経過時間Ｔと前記設定状態決定方法の規定に応じて前記設備機器の設定状態を決定する設定操作手段とを備えることを特徴とする設備機器制御システム。
【請求項２】
請求項１記載の設備機器制御システムにおいて、
前記設定状態決定方法の規定は、経過時間Ｔが、主設定機限定モードへの切り替えが設備機器を一旦標準状態に設定するためだけの切り替えか否かを判断するために予め規定された時間Ｔ１未満の場合、直前の主設定機限定モードで設定された設定状態を維持し、この主設定機限定モードより前の非主設定機限定モードで最終的に設定された設定状態を破棄するという規定であることを特徴とする設備機器制御システム。
【請求項３】
請求項１または２記載の設備機器制御システムにおいて、
前記設定状態決定方法の規定は、経過時間Ｔが、主設定機限定モードへの切り替えが設備機器を強制的な管埋状態に維持するための切り替えか否かを判断するために予め規定された時間Ｔ２以上の場合、直前の主設定機限定モードより前の非主設定機限定モードで最終的に設定された設定状態に戻し、主設定機限定モードで設定された設定状態を破棄するという規定であることを特徴とする設備機器制御システム。
【請求項４】
請求項１乃至３のいずれか１項に記載の設備機器制御システムにおいて、
前記設定状態決定方法の規定は、経過時間Ｔが、居住者側の事情が変化したか否かを判断するために予め規定された時間Ｔ３以上の場合、直前の主設定機限定モードで設定された設定状態とこの主設定機限定モードより前の非主設定機限定モードで最終的に設定された設定状態の中間的な設定状態にするという規定であることを特徴とする設備機器制御システム。
【請求項５】
請求項１乃至４のいずれか１項に記載の設備機器制御システムにおいて、
さらに、主設定操作者が操作可能であり、制御対象空間の居住者が操作不可能なように設置された切替操作手段を備え、
主設定操作者が前記切替操作手段を操作することによりモードの切り替えが行なわれることを特徴とする設備機器制御システム。
【請求項６】
請求項１乃至５のいずれか１項に記載の設備機器制御システムにおいて、
さらに、主設定機限定モードが選択されているときに前記個別設定機による設定変更操作が無効になっていることを居住者が認識できるように情報提示する提示手段を備えることを特徴とする設備機器制御システム。
【請求項７】
制御対象空間の設備機器の設定変更操作を主設定操作者が操作可能で制御対象空間の居住者が操作不可能な主設定機に限定する主設定機限定モードが選択されている状態では、制御対象空間の居住者が操作可能な個別設定機による設定変更操作を無効とし、前記設備機器の設定変更操作を前記主設定機に限定しない非主設定機限定モードが選択されている状態では、前記個別設定機による設定変更操作を有効にする切り替えステップと、
設定変更操作が有効な前記個別設定機または前記主設定機からの設定に応じて前記設備機器を制御する制御ステップと、
非主設定機限定モードにおいて前記個別設定機で最終的に設定された設定を記憶する設定記憶ステップと、
主設定機限定モードにおいて前記主設定機の最終設定操作からの経過時間Ｔを測定する時間測定ステップと、
主設定機限定モードから非主設定機限定モードに切り替えられたときに、経過時間Ｔと規定記憶手段に予め記憶された設定状態決定方法の規定に応じて前記設備機器の設定状態を決定する設定操作ステップとを備えることを特徴とする設備機器制御方法。
【請求項８】
請求項７記載の設備機器制御方法において、
前記設定状態決定方法の規定は、経過時間Ｔが、主設定機限定モードへの切り替えが設備機器を一旦標準状態に設定するためだけの切り替えか否かを判断するために予め規定された時間Ｔ１未満の場合、直前の主設定機限定モードで設定された設定状態を維持し、この主設定機限定モードより前の非主設定機限定モードで最終的に設定された設定状態を破棄するという規定であることを特徴とする設備機器制御方法。
【請求項９】
請求項７または８記載の設備機器制御方法において、
前記設定状態決定方法の規定は、経過時間Ｔが、主設定機限定モードへの切り替えが設備機器を強制的な管埋状態に維持するための切り替えか否かを判断するために予め規定された時間Ｔ２以上の場合、直前の主設定機限定モードより前の非主設定機限定モードで最終的に設定された設定状態に戻し、主設定機限定モードで設定された設定状態を破棄するという規定であることを特徴とする設備機器制御方法。
【請求項１０】
請求項７乃至９のいずれか１項に記載の設備機器制御方法において、
前記設定状態決定方法の規定は、経過時間Ｔが、居住者側の事情が変化したか否かを判断するために予め規定された時間Ｔ３以上の場合、直前の主設定機限定モードで設定された設定状態とこの主設定機限定モードより前の非主設定機限定モードで最終的に設定された設定状態の中間的な設定状態にするという規定であることを特徴とする設備機器制御方法。
【請求項１１】
請求項７乃至１０のいずれか１項に記載の設備機器制御方法において、
前記切り替えステップは、主設定操作者が操作可能で制御対象空間の居住者が操作不可能なように設置された切替操作手段を主設定操作者が操作したことに応じて、モードの切り替えを行なうことを特徴とする設備機器制御方法。
【請求項１２】
請求項７乃至１１のいずれか１項に記載の設備機器制御方法において、
さらに、主設定機限定モードが選択されているときに前記個別設定機による設定変更操作が無効になっていることを居住者が認識できるように情報提示する提示ステップを備えることを特徴とする設備機器制御方法。
【発明の詳細な説明】
【技術分野】
【０００１】
本発明は、空調機や照明などの設備機器を制御する設備機器制御システムおよび方法に関するものである。
【背景技術】
【０００２】
従来、建物内の広域エリアの操作に使用される主設定機と、個別エリアの操作に使用される個別設定機を備え、両方の設定機が同一の設備機器を操作可能なようにする計装が実用されている。例えば図５の例では、個別ゾーン５−１，５−２に設けられた全ての設備機器４−１，４−２は、中央監視装置３に設けられた主設定機１からの発停信号に応じて一括して操作される。また、管理者は、主設定機１を使って個別ゾーン単位で設備機器４−１，４−２を操作することも可能である。また、個別ゾーン５−１，５−２の各設備機器４−１，４−２は、建物の入口付近の壁面に設けられた個別設定機２−１，２−２からの発停信号に応じて個別ゾーン単位で操作される。
【０００３】
そして、主設定機、個別設定機というハードウェア設備に対して、主設定機、個別設定機の区別なく最新の操作に応じて設備機器が設定される後優先方式が採用されている。図６（Ａ）は主設定機限定モードにおける設備運転の例を示す図、図６（Ｂ）は個別設定機限定モードにおける設備運転の例を示す図、図６（Ｃ）は後優先モードにおける設備運転の例を示す図である。主設定機限定モードでは、例えば個別ゾーン５−１の設備機器４−１を操作しようとする場合、主設定機１からの操作のみが受け付けられる。個別設定機限定モードでは、設備機器４−１を操作しようとする場合、個別設定機２−１からの操作のみが受け付けられる。後優先モードでは、最新の操作に応じて設備機器４−１が設定される。
【０００４】
後優先方式については、例えば上位装置からの設定値およびワイヤレス送信器からの設定値を空調設備への入力とする場合などに利用されることが、特に知られている（特許文献１参照）。後優先方式では、設定行為者による最新の状況判断に基づく設定が採用されるので、状況が時々刻々変化する建物エリアにおいては、シンプルでありながら合理的な方式である。
【０００５】
主設定機と個別設定機の両方の設定機が同一の設備機器を操作可能なように計装するということは、両者で異なる設定が行なわれたときには、どちらか一方の設定は却下されなければならない。このような設定の競合において、どちらも要望レベルの設定であれば、要望が却下された側の事情で重大な事態が発生することはない。しかし、優先順位に差がある場合、例えば優先順位の高い義務的要求に基づく設定と優先順位の低い要求に基づく設定とが競合するときに、後優先方式の場合、優先順位の高い義務的要求に基づく設定の方が維持できなくなる可能性がある。そのような場合、重大な事態が発生することもあり得る。以下に、優先順位の高い義務的要求に基づく設定と優先順位の低い要求に基づく設定の事例を示す。
【０００６】
［優先順位の高い義務的要求に基づく設定］
（ａ）安全衛生管埋の観点から、一定の時間帯は空調の温度、風量を快適側に維持する。（ｂ）安全衛生管埋の観点から、一定の時間帯は照明の照度を高い側に維持する。
（ｃ）電力デマンド対応という観点から、一定の時間帯は使用電力を抑える側に維持する。
（ｄ）改正省エネ法対応という観点から、一定の期間は使用電力を抑える側に維持する。
【０００７】
［優先順位の低い要求に基づく設定］
（ｅ）重要顧客に接客時は、応接室の空調の温度、風量を快適側に維持する。
（ｆ）環境の影響を受けやすい物性を用いた作業時には、作業エリアの温度、風量を作業に適した環境に維持する。この場合、使用電力を抑える側になることもあり得る。
（ｇ）荷物搬送時には、足場が暗くなりやすい通路の照明を点灯状態に維持する。
（ｈ）居住者の感覚で積極的に省エネルギーに協力しようと感じている時は、空調の温度、風量を省エネルギー側に維持する。
【０００８】
主設定機と個別設定機を備える以上、設定の競合は避けられないが、シンプルな計装という利点を極力失うことなく、上記の問題の発生確率を低減することが求められる。
上記の設定の競合の問題については、ユーザ、時刻、季節等によって、主設定機から個別設定機に対して、制御を禁止したい運転項目を任意に設定することが可能な集中制御型空気調和システムが知られている（特許文献２参照）。
また、主設定機のような別途部品なしで個別設定機の遠隔操作の有効／無効設定を実行できる空調機のリモコン装置および空調機システムが知られている（特許文献３参照）。
【先行技術文献】
【特許文献】
【０００９】
【特許文献１】特開平０９−３０３８４７号公報
【特許文献２】特開平１０−１４８３８１号公報
【特許文献３】特開２００４−２９４０２９号公報
【発明の概要】
【発明が解決しようとする課題】
【００１０】
特許文献２、特許文献３に開示された技術を採用すると、以下のような問題点があった。すなわち、設備機器の設定変更操作を主設定機に限定しない非主設定機限定モード→設備機器の設定変更操作を主設定機に限定する主設定機限定モード→非主設定機限定モードというモード切り替えが行なわれたとき、例えば非主設定機限定モードにおいて室内温度を２５℃にするという設定が個別設定機からなされ、主設定機限定モードにおいて室内温度を２８℃にするという設定が主設定機からなされ、さらに非主設定機限定モードに切り替えられたときに、室内温度を２５℃に戻すか２８℃に維持するかのどちらが妥当か、という問題である。
【００１１】
非主設定機限定モードと主設定機限定モードのどちらの設定を採用するかを判断することは管理者にとって煩わしい作業であり、また設備機器の設定状態を決定するに際して管理者が設定を誤る可能性もある。また、複数の管埋者がいる場合、管理者によって設備機器の状態設定の仕方が異なる可能性があるので、空調機や照明などの設備機器の設定状態に居住者が不快感を抱く可能性がある。
【００１２】
本発明は、上記課題を解決するためになされたもので、非主設定機限定モード→主設定機限定モード→非主設定機限定モードというモード切り替えが実施されたときに、管埋者側の煩わしさや管理者の勘違いによる設定の誤り、あるいは居住者側にとっての不透明感（管埋者の場当たり的な設定という印象）を低減することができる設備機器制御システムおよび方法を提供することを目的とする。
【課題を解決するための手段】
【００１３】
本発明の設備機器制御システムは、主設定操作者が操作可能であり、制御対象空間の居住者が操作不可能なように設置された主設定機と、制御対象空間の居住者が操作可能なように設置された個別設定機と、制御対象空間の設備機器の設定変更操作を前記主設定機に限定する主設定機限定モードが選択されている状態では前記個別設定機による設定変更操作を無効とし、前記設備機器の設定変更操作を前記主設定機に限定しない非主設定機限定モードが選択されている状態では前記個別設定機による設定変更操作を有効にし、設定変更操作が有効な前記個別設定機または前記主設定機からの設定に応じて前記設備機器を制御する制御手段と、非主設定機限定モードにおいて前記個別設定機で最終的に設定された設定を記憶する設定記憶手段と、主設定機限定モードでの前記主設定機の最終設定操作からの経過時間Ｔを測定する時間測定手段と、主設定機限定モードから非主設定機限定モードに切り替えられたときに経過時間Ｔに応じて実行すべき設定状態決定方法の規定を予め記憶する規定記憶手段と、主設定機限定モードから非主設定機限定モードに切り替えられたときに、経過時間Ｔと前記設定状態決定方法の規定に応じて前記設備機器の設定状態を決定する設定操作手段とを備えることを特徴とするものである。
【００１４】
また、本発明の設備機器制御システムの１構成例において、前記設定状態決定方法の規定は、経過時間Ｔが、主設定機限定モードへの切り替えが設備機器を一旦標準状態に設定するためだけの切り替えか否かを判断するために予め規定された時間Ｔ１未満の場合、直前の主設定機限定モードで設定された設定状態を維持し、この主設定機限定モードより前の非主設定機限定モードで最終的に設定された設定状態を破棄するという規定である。
また、本発明の設備機器制御システムの１構成例において、前記設定状態決定方法の規定は、経過時間Ｔが、主設定機限定モードへの切り替えが設備機器を強制的な管埋状態に維持するための切り替えか否かを判断するために予め規定された時間Ｔ２以上の場合、直前の主設定機限定モードより前の非主設定機限定モードで最終的に設定された設定状態に戻し、主設定機限定モードで設定された設定状態を破棄するという規定である。
また、本発明の設備機器制御システムの１構成例において、前記設定状態決定方法の規定は、経過時間Ｔが、居住者側の事情が変化したか否かを判断するために予め規定された時間Ｔ３以上の場合、直前の主設定機限定モードで設定された設定状態とこの主設定機限定モードより前の非主設定機限定モードで最終的に設定された設定状態の中間的な設定状態にするという規定である。
【００１５】
また、本発明の設備機器制御システムの１構成例は、さらに、主設定操作者が操作可能であり、制御対象空間の居住者が操作不可能なように設置された切替操作手段を備え、主設定操作者が前記切替操作手段を操作することによりモードの切り替えが行なわれることを特徴とするものである。
また、本発明の設備機器制御システムの１構成例は、さらに、主設定機限定モードが選択されているときに前記個別設定機による設定変更操作が無効になっていることを居住者が認識できるように情報提示する提示手段を備えることを特徴とするものである。
【００１６】
また、本発明の設備機器制御方法は、制御対象空間の設備機器の設定変更操作を主設定操作者が操作可能で制御対象空間の居住者が操作不可能な主設定機に限定する主設定機限定モードが選択されている状態では、制御対象空間の居住者が操作可能な個別設定機による設定変更操作を無効とし、前記設備機器の設定変更操作を前記主設定機に限定しない非主設定機限定モードが選択されている状態では、前記個別設定機による設定変更操作を有効にする切り替えステップと、設定変更操作が有効な前記個別設定機または前記主設定機からの設定に応じて前記設備機器を制御する制御ステップと、非主設定機限定モードにおいて前記個別設定機で最終的に設定された設定を記憶する設定記憶ステップと、主設定機限定モードにおいて前記主設定機の最終設定操作からの経過時間Ｔを測定する時間測定ステップと、主設定機限定モードから非主設定機限定モードに切り替えられたときに、経過時間Ｔと規定記憶手段に予め記憶された設定状態決定方法の規定に応じて前記設備機器の設定状態を決定する設定操作ステップとを備えることを特徴とするものである。
【発明の効果】
【００１７】
本発明によれば、制御手段と設定記憶手段と時間測定手段と規定記憶手段と設定操作手段とを設けることにより、非主設定機限定モード→主設定機限定モード→非主設定機限定モードというモード切り替えが実施されたときに、主設定機限定モードでの主設定機の最終設定操作からの経過時間Ｔと規定記憶手段に予め記憶された設定状態決定方法の規定に応じて設備機器の設定状態を決定するので、管埋者側の煩わしさや、管理者の勘違いによる設定の誤り、あるいは居住者側にとっての不透明感（管埋者の場当たり的な設定という印象）を低減することができる。
【図面の簡単な説明】
【００１８】
【図１】本発明の第１の実施の形態に係る設備機器制御システムの構成を示すブロック図である。
【図２】本発明の第１の実施の形態に係る設備機器制御システムの動作を説明するフローチャートである。
【図３】本発明の第２の実施の形態に係る設備機器制御システムの構成を示すブロック図である。
【図４】本発明の第３の実施の形態に係る設備機器制御システムの構成を示すブロック図である。
【図５】主設定機および個別設定機の操作範囲を説明する図である。
【図６】主設定機限定モード、個別設定機限定モードおよび後優先モードにおける設備運転の例を示す図である。
【発明を実施するための形態】
【００１９】
［発明の原理］
発明者は、非主設定機限定モード（個別設定機限定モードまたは後優先モード）→主設定機限定モード→非主設定機限定モードというモード切り替えにおいて、主設定機限定モードでの最終設定操作からの経過時間に応じて設備機器の設定状態の戻し方を自動決定するという方法に想到した。これにより、管埋者側の煩わしさや勘違いによる誤り、あるいは居住者側にとっての不透明感（管埋者の場当たり的な設定という印象）を低減することができる。
【００２０】
［第１の実施の形態］
朝の空調開始時の設定値リセット（一斉リセット）、終業時刻の照明・空調の一時的ＯＦＦ（一斉ＯＦＦ）のように、個別設定によりランダムな状態になったものを一旦標準状態に設定したい場合、管埋者は主設定機限定モードで標準状態（例えば終業時なら空調も照明もＯＦＦ）に設定した後に、すぐに非主設定機限定モードに切替えて居住者の判断（例えば残業者の空調や照明の必要性判断）に任せる行動を取る。
【００２１】
そこで、本実施の形態では、主設定機限定モードでの最終設定操作からの経過時間が短い時間（設定変更後にモード切り替えが行なえる程度の時間であり、例えば３分未満）の場合は、主設定機限定モードで設定された設定状態を維持する。非主設定機限定モードで最終的に設定された設定状態は破棄する。
【００２２】
図１は本実施の形態に係る設備機器制御システムの構成を示すブロック図である。設備機器制御システムは、主設定操作者が操作可能であり、制御対象空間の居住者が操作不可能なように設置された主設定機１と、制御対象空間の居住者が操作可能なように設置された個別設定機２と、主設定操作者が操作可能であり、制御対象空間の居住者が操作不可能なように設置された切替操作部６と、主設定操作者が切替操作部６を操作することにより主設定機限定モードが選択されている状態では個別設定機２による設定変更操作を無効とし、主設定操作者が切替操作部６を操作することにより非主設定機限定モード（個別設定機限定モードまたは後優先モード）が選択されている状態では個別設定機２による設定変更操作を有効にする制御部７と、主設定機限定モードが選択されているときに個別設定機２による設定変更操作が無効になっていることを居住者が認識できるように情報提示する提示部８と、非主設定機限定モードにおいて個別設定機２で最終的に設定された設定を記憶する設定記憶部９と、主設定機限定モードでの最終設定操作からの経過時間Ｔを測定する時間測定部１０と、主設定機限定モードから非主設定機限定モードに切り替えられたときに経過時間Ｔに応じて実行すべき設定状態決定方法の規定を予め記憶する規定記憶部１１と、主設定機限定モードから非主設定機限定モードに切り替えられたときに、経過時間Ｔと設定状態決定方法の規定に応じて設備機器４の設定状態を決定する設定操作部１２とを備えている。
【００２３】
制御部７と設定記憶部９と時間測定部１０と規定記憶部１１と設定操作部１２とは、例えば図５に示した中央監視装置３に設けられる。
主設定機１と切替操作部６とを制御対象空間の居住者が操作不可能なように設置する方法としては、主設定機１と切替操作部６とを居住者の入室が禁止になっている中央監視室に設置するか、主設定機１と切替操作部６の操作にパスワードが必要なようにする等の方法がある。
【００２４】
次に、本実施の形態の設備機器制御システムの動作を図２を用いて説明する。ここでは、管理者によって切替操作部６が操作され、非主設定機限定モードが選択されているものとする。非主設定機限定モードが選択されている場合（図２ステップＳ１においてＹＥＳ）、設定操作部１２は、時間測定部１０によって測定される経過時間Ｔを確認するが（ステップＳ２，Ｓ４，Ｓ６）、ここではＴ＝０とする。このため、ステップＳ２，Ｓ４，Ｓ６において全て判定ＮＯとなるので、ステップＳ８に進む。
【００２５】
制御部７は、非主設定機限定モードが選択されている状態において、居住者によって個別設定機２が操作されると（ステップＳ８においてＹＥＳ）、個別設定機２から入力された設定（例えば室内温度を２５℃にする設定）に応じて設備機器４（本実施の形態では空調機）を制御する（ステップＳ９）。そして、設定記憶部９は、個別設定機２から入力された設定を記憶する（ステップＳ１０）。
【００２６】
こうして、例えば管理者からの指示により設備機器制御システムの動作が終了するか（ステップＳ１１においてＹＥＳ）、主設定機限定モードに切り替えられるまで（ステップＳ１２においてＹＥＳ）、ステップＳ８〜Ｓ１０の処理が繰り返し実行される。設定記憶部９の記憶内容は個別設定機２が操作される度に更新されるので、設定記憶部９には、個別設定機２で最終的に設定された設定が常に記憶されていることになる。
【００２７】
次に、管理者によって切替操作部６が操作され、主設定機限定モードが選択されると（ステップＳ１２においてＹＥＳ）、制御部７は、個別設定機２による設定変更操作が無効になっていることを提示部８を通じて居住者に通知する（ステップＳ１３）。
【００２８】
制御部７は、主設定機限定モードが選択されている状態において、管理者によって主設定機１が操作されると（ステップＳ１４においてＹＥＳ）、主設定機１から入力された設定（例えば室内温度を２７℃にする設定）に応じて設備機器４を制御する（ステップＳ１５）。そして、時間測定部１０は、経過時間Ｔの測定を開始する（ステップＳ１６）。
【００２９】
こうして、例えば管理者からの指示により設備機器制御システムの動作が終了するか（ステップＳ１７においてＹＥＳ）、非主設定機限定モードに切り替えられるまで（ステップＳ１においてＹＥＳ）、ステップＳ１４〜Ｓ１６の処理が繰り返し実行される。
この繰り返しの中で、管理者によって主設定機１が操作され、別の設定変更（例えば室内温度を２８℃にする設定が行なわれると、時間測定部１０は、経過時間Ｔ＝０に一旦リセットして、経過時間Ｔの測定を再度開始する（ステップＳ１６）。
【００３０】
次に、管理者によって切替操作部６が操作され、非主設定機限定モードが選択されると（ステップＳ１においてＹＥＳ）、設定操作部１２は、経過時間Ｔと規定記憶部１１に予め記憶されている規定に応じて、設備機器４に対する設定を決定する。本実施の形態では、経過時間Ｔが、主設定機限定モードへの切り替えが設備機器４を一旦標準状態に設定するためだけの切り替えか否かを判断するために予め規定された時間Ｔ１（例えば３分）未満の場合（０＜Ｔ＜Ｔ１）、直前の主設定機限定モードで設定された設定状態を維持し、この主設定機限定モードより前の非主設定機限定モードで最終的に設定された設定状態を破棄するという規定が、規定記憶部１１に予め記憶されているものとする。つまり、経過時間Ｔが０より大きく時間Ｔ１未満であれば、主設定機限定モードへの切り替えが設備機器４を一旦標準状態に設定するためだけの切り替えであると判断することになる。
【００３１】
設定操作部１２は、経過時間Ｔが例えば２分５９秒で時間Ｔ１未満の場合（ステップＳ２においてＹＥＳ）、規定記憶部１１の規定に従って、設備機器４の状態を直前の主設定機限定モードで設定された設定状態（室内温度を２８℃にする設定）に維持し（ステップＳ３）、この主設定機限定モードより前の非主設定機限定モードで最終的に設定された設定状態（室内温度を２５℃にする設定）については採用しない。こうして、非主設定機限定モードへの切り替えに際して、主設定機１で最終的に設定された設定状態を維持し、個別設定機２による設定変更が可能な状態へと移行する。
非主設定機限定モードが選択されている状態での動作（ステップＳ８〜Ｓ１０）は、上記のとおりである。
【００３２】
以上のように、本実施の形態では、非主設定機限定モード→主設定機限定モード→非主設定機限定モードというモード切り替えが実施されたときに、主設定機限定モードでの最終設定操作からの経過時間Ｔが予め規定された時間Ｔ１未満の場合は主設定機限定モードで設定された設定状態を維持するので、管埋者側の煩わしさや、管理者の勘違いによる設定の誤り、あるいは居住者側にとっての不透明感（管埋者の場当たり的な設定という印象）を低減することができる。
【００３３】
［第２の実施の形態］
電力デマンドに対応する省エネルギー重視の時間限定的な空調設定値変更や、就業環境規制を遵守するための快適性重視の時間限定的な空調設定値変更のように、限られた時間であっても、強制的な設定値を継続的に維持しなければならない場合、管埋者は、主設定機限定モードで強制的管埋状態（例えば冷房時の省エネルギー重視のために室内温度を２８℃程度にするといった状態）に設定した後に、すぐに非主設定機限定モードに切替えて居住者の判断（例えば残業者の空調や照明の必要性判断）に任せる行動を取ることはない。逆に言えば、継続的な維持の必要性がなくなった場合は、個別設定機による居住者側の設定が規制される必要性がなくなったということになる。
【００３４】
そこで、本実施の形態では、主設定機限定モードでの最終設定操作からの経過時間が長い時間（管埋された状態が継続したと言える程度の時間であり、例えば３分以上）の場合は、非主設定機限定モードで最終的に設定された設定状態に戻す。主設定機限定モードで設定された設定状態は破棄する。
【００３５】
図３は本実施の形態に係る設備機器制御システムの構成を示すブロック図であり、図１と同一の構成には同一の符号を付してある。本実施の形態の設備機器制御システムの構成は第１の実施の形態と同様であるが、規定記憶部１１ａに記憶されている規定が異なる。本実施の形態では、経過時間Ｔが、主設定機限定モードへの切り替えが設備機器４を強制的な管埋状態に維持するための切り替えか否かを判断するために予め規定された時間Ｔ２（Ｔ１≦Ｔ２で、例えば３分）以上の場合（Ｔ≧Ｔ２）、直前の主設定機限定モードより前の非主設定機限定モードで最終的に設定された設定状態に戻し、主設定機限定モードで設定された設定状態を破棄するという規定が、規定記憶部１１ａに予め記憶されているものとする。この場合、経過時間Ｔが時間Ｔ２以上であれば、主設定機限定モードへの切り替えが設備機器４を強制的な管埋状態に維持するための切り替えであると判断することになる。
【００３６】
次に、本実施の形態の設備機器制御システムの動作を図２を用いて説明する。ここでは、管理者によって切替操作部６が操作され、非主設定機限定モードが選択されているものとする。非主設定機限定モードが選択されている状態での動作（図２ステップＳ８〜Ｓ１０）は、第１の実施の形態で説明したとおりである。
【００３７】
次に、管理者によって切替操作部６が操作され、主設定機限定モードが選択されると（ステップＳ１２においてＹＥＳ）、制御部７は、個別設定機２による設定変更操作が無効になっていることを提示部８を通じて居住者に通知する（ステップＳ１３）。主設定機限定モードが選択されている状態での動作（ステップＳ１４〜Ｓ１６）は、第１の実施の形態で説明したとおりである。
【００３８】
次に、管理者によって切替操作部６が操作され、非主設定機限定モードが選択されると（ステップＳ１においてＹＥＳ）、設定操作部１２は、経過時間Ｔと規定記憶部１１ａに予め記憶されている規定に応じて、設備機器４に対する設定を決定する。
設定操作部１２は、経過時間Ｔが例えば３分以上で時間Ｔ２以上場合（ステップＳ４においてＹＥＳ）、規定記憶部１１ａの規定に従って、設備機器４の状態を設定記憶部９に記憶された設定状態（室内温度を２５℃にする設定）に戻し（ステップＳ５）、直前の主設定機限定モードで設定された設定状態を破棄する。こうして、非主設定機限定モードへの切り替えに際して、個別設定機２で最終的に設定された設定状態に戻し、個別設定機２による設定変更が可能な状態へと移行する。
【００３９】
以上のように、本実施の形態では、非主設定機限定モード→主設定機限定モード→非主設定機限定モードというモード切り替えが実施されたときに、主設定機限定モードでの最終設定操作からの経過時間Ｔが予め規定された時間Ｔ２以上の場合は設定記憶部９に記憶された設定状態に戻すので、管埋者側の煩わしさや、管理者の勘違いによる設定の誤り、あるいは居住者側にとっての不透明感（管埋者の場当たり的な設定という印象）を低減することができる。
【００４０】
［第３の実施の形態］
第２の実施の形態において、経過時間Ｔが特別に長くなった場合、居住者側の要求に基づく設定の事情も変化している可能性がある。高価な状態検出機能を用いても判断が難しいので、中間的な設定状態で居住者の判断に任せれば、居住者から苦情が出る可能性を低減することができ、かつ管理者が設定した管埋状態からかけ離れた不要な状態になることも緩和することができる。
【００４１】
そこで、本実施の形態では、主設定機限定モードでの最終設定操作からの経過時間が特に長い時間（居住者側の事情・状況が変化し得ると考えられる程度の時間であり、例えば４時間以上）の場合は、主設定機限定モードで設定された設定状態と非主設定限定モードで最終的に設定された設定状態の中間的な設定状態にする。
【００４２】
図４は本実施の形態に係る設備機器制御システムの構成を示すブロック図であり、図１と同一の構成には同一の符号を付してある。本実施の形態の設備機器制御システムの構成は第１の実施の形態と同様であるが、規定記憶部１１ｂに記憶されている規定が異なる。本実施の形態では、経過時間Ｔが、居住者側の事情が変化したか否かを判断するために予め規定された時間Ｔ３（Ｔ１≦Ｔ２＜Ｔ３で、例えば４時間）以上の場合（Ｔ≧Ｔ３）、直前の主設定機限定モードで設定された設定状態とこの主設定機限定モードより前の非主設定機限定モードで最終的に設定された設定状態の中間的な設定状態にするという規定が、規定記憶部１１ｂに予め記憶されているものとする。この場合、経過時間Ｔが時間Ｔ３以上であれば、居住者側の事情が変化したと判断することになる。
【００４３】
次に、本実施の形態の設備機器制御システムの動作を図２を用いて説明する。ここでは、管理者によって切替操作部６が操作され、非主設定機限定モードが選択されているものとする。非主設定機限定モードが選択されている状態での動作（図２ステップＳ８〜Ｓ１０）は、第１の実施の形態で説明したとおりである。
【００４４】
次に、管理者によって切替操作部６が操作され、主設定機限定モードが選択されると（ステップＳ１２においてＹＥＳ）、制御部７は、個別設定機２による設定変更操作が無効になっていることを提示部８を通じて居住者に通知する（ステップＳ１３）。主設定機限定モードが選択されている状態での動作（ステップＳ１４〜Ｓ１６）は、第１の実施の形態で説明したとおりである。
【００４５】
次に、管理者によって切替操作部６が操作され、非主設定機限定モードが選択されると（ステップＳ１においてＹＥＳ）、設定操作部１２は、経過時間Ｔと規定記憶部１１ｂに予め記憶されている規定に応じて、設備機器４に対する設定を決定する。
設定操作部１２は、経過時間Ｔが例えば４時間以上で時間Ｔ３以上場合（ステップＳ６においてＹＥＳ）、規定記憶部１１ｂの規定に従って、設備機器４の状態を直前の主設定機限定モードで設定された設定状態（室内温度を２８℃にする設定）と設定記憶部９に記憶された設定状態（室内温度を２５℃にする設定）の中間的な設定状態（例えば室内温度を２８℃と２５℃の平均値である２６．５℃にする設定）にする（ステップＳ７）。こうして、非主設定機限定モードへの切り替えに際して、主設定機１で設定された設定状態と個別設定機２で最終的に設定された設定状態の中間的な設定状態にし、個別設定機２による設定変更が可能な状態へと移行する。
【００４６】
以上のように、本実施の形態では、非主設定機限定モード→主設定機限定モード→非主設定機限定モードというモード切り替えが実施されたときに、主設定機限定モードでの最終設定操作からの経過時間Ｔが予め規定された時間Ｔ３以上の場合は主設定機限定モードで設定された設定状態と設定記憶部９に記憶された設定状態の中間的な設定状態にするので、管埋者側の煩わしさや、管理者の勘違いによる設定の誤り、あるいは居住者側にとっての不透明感（管埋者の場当たり的な設定という印象）を低減することができる。
【００４７】
なお、設定操作部１２は、時間Ｔ３をＭ分間経過したという計測結果に基づき、次式のように設備機器４の設定値ＳＰが１００分の間で徐々に変化するというような設定にしてもよい（ステップＳ７）。
ＳＰ＝｛ＳＰ２×Ｍ＋ＳＰ１×（１００−Ｍ）｝／１００            ・・・（１）
式（１）におけるＳＰ１は主設定機限定モードで設定された設定値、ＳＰ２は非主設定機限定モードで最終的に設定され設定記憶部９に記憶された設定値である。
【００４８】
第１〜第３の実施の形態における経過時間Ｔと設定の関係を表１に示す。
【００４９】
【表１】
2014074520.tif 000003
【００５０】
なお、第１〜第３の実施の形態を適宜組み合わせてもよいことは言うまでもない。また、第１〜第３の実施の形態では、非主設定機限定モードにおいて個別設定機２のみを操作する場合について説明しているが、非主設定機限定モードが、個別設定機２のみに設定変更操作を限定する個別設定機限定モードではなく、後優先モードである場合には、非主設定機限定モードにおいて主設定機１から設定変更操作を行なうことも可能である。この場合、主設定機１から入力された設定に応じて制御部７は設備機器４を制御するが、この主設定機１から入力された設定が設定記憶部９に記憶されることはない。後優先モードについては、上記で説明したとおりである。
【００５１】
第１〜第３の実施の形態で説明した中央監視装置（制御部７と設定記憶部９と時間測定部１０と規定記憶部１１と設定操作部１２）は、ＣＰＵ、記憶装置及びインタフェースを備えたコンピュータと、これらのハードウェア資源を制御するプログラムによって実現することができる。ＣＰＵは、記憶装置に格納されたプログラムに従って第１〜第３の実施の形態で説明した処理を実行する。
【産業上の利用可能性】
【００５２】
本発明は、主設定機と個別設定機を使って空調機や照明などの設備機器を操作する技術に適用することができる。
【符号の説明】
【００５３】
１…主設定機、２…個別設定機、４…設備機器、６…切替操作部、７…制御部、８…提示部、９…設定記憶部、１０…時間測定部、１１，１１ａ，１１ｂ…規定記憶部、１２…設定操作部。
【図１】
2014074520.tif 000004
【図２】
2014074520.tif 000005
【図３】
2014074520.tif 000006
【図４】
2014074520.tif 000007
【図５】
2014074520.tif 000008
【図６】
2014074520.tif 000009